(57)【要約】  基地局におけるハイブリッドオートリピート要求（ＨＡＲＱ）モードを設定するための方法、第１タイプの通信能力をサポートするユーザ装置に用いられる通信方法、並びに基地局及びユーザ装置を提供すること。本ユーザ端末は、ＨＡＲＱバンドリングをサポートする能力の情報を無線基地局に送信する送信部を備え、前記送信部は、前記能力に基づいてバンドリングしたＨＡＲＱ−ＡＣＫを無線基地局に送信することを特徴とする。
2018030537.tif 000002
【特許請求の範囲】
【請求項１】
ＨＡＲＱバンドリングをサポートする能力の情報を無線基地局に送信する送信部を備え、前記送信部は、前記能力に基づいてバンドリングしたＨＡＲＱ−ＡＣＫを無線基地局に送信することを特徴とするユーザ端末。
【請求項２】
ＨＡＲＱバンドリングをサポートする能力は、ＬＴＥ  Ｒｅｌｅａｓｅ  １４規格に従って通信を行うことができる能力に含まれることを特徴とする請求項１記載のユーザ端末。
【請求項３】
ＨＡＲＱバンドリングをサポートしないときに、各下りデータに対しそれぞれＨＡＲＱ−ＡＣＫを無線基地局に送信することを特徴とする請求項１又は請求項２に記載のユーザ端末。
【請求項４】
８つを超えたＨＡＲＱプロセスを設定する能力の情報を無線基地局に送信する送信部と、下り制御情報の４ビットのデータからＨＡＲＱプロセス番号を受信する受信部と、を具備することを特徴とするユーザ端末。
【請求項５】
ＨＡＲＱバンドリングをサポートする能力の情報を受信する受信部を備え、前記受信部は、前記能力に基づいてバンドリングしたＨＡＲＱ−ＡＣＫを受信することを特徴とする無線基地局。
【請求項６】
８つを超えたＨＡＲＱプロセスを設定する能力の情報を受信する受信部と、下り制御情報の４ビットのデータからＨＡＲＱプロセス番号を送信する送信部と、を具備することを特徴とする無線基地局。
【請求項７】
ユーザ端末が、ＨＡＲＱバンドリングをサポートする能力の情報を無線基地局に送信する工程と、前記ユーザ端末が、前記能力に基づいてバンドリングしたＨＡＲＱ−ＡＣＫを無線基地局に送信する工程と、を具備することを特徴とする無線通信方法。
【請求項８】
ユーザ端末が、８つを超えたＨＡＲＱプロセスを設定する能力の情報を無線基地局に送信する工程と、前記ユーザ端末が、下り制御情報の４ビットのデータからＨＡＲＱプロセス番号を受信する工程と、を具備することを特徴とする無線通信方法。
【発明の詳細な説明】
【技術分野】
【０００１】
本開示は移動通信分野に関し、さらに具体的には異なる通信能力をサポートするユーザ装置と接続される基地局におけるハイブリッドオートリピート要求（ＨＡＲＱ）の通信方式を設定するための方法、第１タイプの通信能力をサポートするユーザ装置に用いられる通信方法、並びに基地局及びユーザ装置に関する。
【背景技術】
【０００２】
長期進化型（ＬＴＥ：ｌｏｎｇ  ｔｅｒｍ  ｅｖｏｌｕｔｉｏｎ）移動通信ネットワークは全世界で広範に展開されており、それにより搬送される無線データトラフィックが急速に増加しており、なお、この増加は従来の人と人の間の通信（すなわち移動インターネット）だけではなく、現在急速に成長している通信装置間のモノのインターネット通信によるものである。したがって、未来のＬＴＥ移動通信ネットワークは無線データトラフィックが絶えずに増加していくことに対応できる能力を具備する必要がある。【０００３】
絶えずに増加するデータトラフィックの要件を満たすために、ＬＴＥ移動通信ネットワークの標準化作業も進んでいる。場合によって、新旧技術規格又は同一技術規格の異なるバージョンの間で互換性がない技術仕様が存在することもある。したがって、ＬＴＥ移動通信ネットワークに旧規格をサポートするユーザ装置と新規格をサポートするユーザ装置とが同時に存在する場合、或いは同一規格の異なるバージョンをサポートするユーザ装置が同時に存在する場合、これらのユーザ装置と接続される基地局は各ユーザ装置がどの規格又はバージョンをサポートしているか把握できず、基地局とユーザ装置との間で正確かつ効率的な通信を実現できない可能性がある。例えば、ＬＴＥ  Ｒｅｌｅａｓｅ  １３をサポートするユーザ装置及びＬＴＥ  Ｒｅｌｅａｓｅ  １４をサポートするユーザ装置はいずれも同一移動通信ネットワークに共存可能であり、基地局があるユーザ装置と通信する場合、該ユーザ装置がサポートするものがＬＴＥ  Ｒｅｌｅａｓｅ  １３であるか、それともＬＴＥ  Ｒｅｌｅａｓｅ  １４であるかを把握できないため、該ユーザ装置と正確かつ効率的な通信を行うことができない。また例えば、ＬＴＥ  Ｒｅｌｅａｓｅ  １３及びＬＴＥ  Ｒｅｌｅａｓｅ  １４において、ＨＡＲＱを使用して通信を行う方式は異なっており、基地局は接続されているユーザ装置がサポートするものがＬＴＥ  Ｒｅｌｅａｓｅ  １３であるか、それともＬＴＥ  Ｒｅｌｅａｓｅ  １４であるかを把握できないため、該ユーザ装置と正確なＨＡＲＱ通信を行うことができない。
【発明の概要】
【課題を解決するための手段】
【０００４】
本開示の１つの態様によれば、ＨＡＲＱバンドリングをサポートする能力の情報を無線基地局に送信する送信部を備え、前記送信部は、前記能力に基づいてバンドリングしたＨＡＲＱ−ＡＣＫを無線基地局に送信することを特徴とするユーザ端末を提供する。【０００５】
本開示の１つの態様によれば、８つを超えたＨＡＲＱプロセスを設定する能力の情報を無線基地局に送信する送信部と、下り制御情報の４ビットのデータからＨＡＲＱプロセス番号を受信する受信部と、を具備することを特徴とするユーザ端末を提供する。【０００６】
本開示の１つの実施例によれば、異なる通信能力をサポートするユーザ装置と接続される基地局におけるハイブリッドリピート要求（ＨＡＲＱ）の通信方式を設定する方法を提供し、前記方法は、ユーザ装置の通信能力情報を取得する工程と、前記ユーザ装置の通信能力情報に応じて、前記ユーザ装置が第１タイプの通信能力をサポートするかを確定する工程と、前記ユーザ装置が前記第１タイプの通信能力をサポートする場合、前記第１タイプの通信能力に応じて前記ユーザ装置と前記基地局の間のＨＡＲＱモードを設定する工程と、を備える。【０００７】
当該実施例に係る方法は、前記ユーザ装置が前記第１タイプの通信能力をサポートしない場合、第２タイプの通信能力に応じて前記ユーザ装置と前記基地局の間のＨＡＲＱモードを設定する工程、をさらに備える。【０００８】
当該実施例の方法において、前記ＨＡＲＱモードは、下りデータへのＨＡＲＱプロセス番号の設定及び下りデータに対してＨＡＲＱ確認を行う時のフィードバック方式を含む。【０００９】
当該実施例に係る方法は、前記ユーザ装置の通信能力情報を取得する工程の前に、システム情報を報知する工程、をさらに備え、前記システム情報は、ランダムアクセスチャネル（ＲＡＣＨ）リソースを前記第１タイプの通信能力に対応する第１のリソースグループと第２タイプの通信能力に対応する第２のリソースグループに分けることを指示する前記ＲＡＣＨリソースのグループ化情報を含む。【００１０】
当該実施例の方法においては、前記ユーザ装置から受信されたＲＡＣＨプリアンブルに用いられるリソースを確定することで、前記ユーザ装置の通信能力情報を取得する。【００１１】
当該実施例の方法において、前記ユーザ装置の通信能力情報に応じて、前記ユーザ装置が第１タイプの通信能力をサポートするかを確定する工程は、前記ユーザ装置から受信されたＲＡＣＨプリアンブルに用いられるリソースが、前記第１のリソースグループに属するかを確定する工程と、前記ユーザ装置から受信されたＲＡＣＨプリアンブルに用いられるリソースが前記第１のリソースグループに属する場合、前記ユーザ装置が前記第１タイプの通信能力をサポートすると確定する工程と、を備える。【００１２】
当該実施例の方法において、前記第１のリソースグループは、前記第１タイプの通信能力に対応する第１の周波数リソース、第１の時間リソース、及び第１のプリアンブルグループの中の少なくとも一つを含み、前記第２のリソースグループは、前記第２タイプの通信能力に対応する第２の周波数リソース、第２の時間リソース、及び第２のプリアンブルグループの中の少なくとも一つを含む。【００１３】
当該実施例の方法においては、前記ユーザ装置から前記通信能力情報を含むメッセージを受信することで、前記ユーザ装置の通信能力情報を取得する。【００１４】
当該実施例の方法においては、モビリティ管理エンティティ（ＭＭＥ）から前記通信能力情報を含むメッセージを受信することで、前記ユーザ装置の通信能力情報を取得する。【００１５】
当該実施例に係る方法は、前記ユーザ装置が前記第１タイプの通信能力をサポートすることを確認する前に、或いは前記第１タイプの通信能力に応じて前記ユーザ装置と前記基地局の間のＨＡＲＱモードを設定する前に、第２タイプの通信能力に応じて前記ユーザ装置と前記基地局の間のＨＡＲＱモードを設定する工程、をさらに備える。【００１６】
本開示のもう１つの実施例によれば、異なる通信能力をサポートするユーザ装置と接続される基地局を提供し、当該基地局は、ユーザ装置の通信能力情報を取得するように構成される取得部と、前記ユーザ装置の通信能力情報に応じて、前記ユーザ装置が第１タイプの通信能力をサポートするかを確定するように構成される確定部と、前記ユーザ装置が前記第１タイプの通信能力をサポートする場合、前記第１タイプの通信能力に応じて前記ユーザ装置と前記基地局の間のＨＡＲＱモードを設定するように構成される設定部と、を具備する。【００１７】
当該実施例の基地局において、前記設定部は、前記ユーザ装置が前記第１タイプの通信能力をサポートしない場合、第２タイプの通信能力に応じて前記ユーザ装置と前記基地局の間のＨＡＲＱモードを設定するように構成される。【００１８】
当該実施例の基地局において、前記ＨＡＲＱモードは、下りデータへのＨＡＲＱプロセス番号の設定及び下りデータに対してＨＡＲＱ確認を行う時のフィードバック方式を含む。【００１９】
当該実施例に係る基地局は、前記取得部が前記ユーザ装置の通信能力情報を取得する前に、システム情報を報知する報知部を更に具備し、前記システム情報は、ランダムアクセスチャネル（ＲＡＣＨ）リソースを前記第１タイプの通信能力に対応する第１のリソースグループと第２タイプの通信能力に対応する第２のリソースグループに分けることを指示する前記ＲＡＣＨリソースのグループ化情報を含む。【００２０】
当該実施例の基地局において、前記取得部は、前記ユーザ装置から受信されたＲＡＣＨプリアンブルに用いられるリソースを確定することで、前記ユーザ装置の通信能力情報を取得する。【００２１】
当該実施例の基地局において、前記確定部は、さらに、前記ユーザ装置から受信されたＲＡＣＨプリアンブルに用いられるリソースが、前記第１のリソースグループに属するかを確定し、前記ユーザ装置から受信されたＲＡＣＨプリアンブルに用いられるリソースが前記第１のリソースグループに属する際に、前記ユーザ装置が前記第１タイプの通信能力をサポートすると確定する。【００２２】
当該実施例の基地局において、前記第１のリソースグループは、前記第１タイプの通信能力に対応する第１の周波数リソース、第１の時間リソース、及び第１のプリアンブルグループの中の少なくとも一つを含み、前記第２のリソースグループは、前記第２タイプの通信能力に対応する第２の周波数リソース、第２の時間リソース、及び第２のプリアンブルグループの中の少なくとも一つを含む。【００２３】
当該実施例の基地局において、前記取得部は、前記ユーザ装置から前記通信能力情報を含むメッセージを受信することで、前記ユーザ装置の通信能力情報を取得するように構成される。【００２４】
当該実施例の基地局において、前記取得部は、モビリティ管理エンティティ（ＭＭＥ）から前記通信能力情報を含むメッセージを受信することで、前記ユーザ装置の通信能力情報を取得するように構成される。【００２５】
当該実施例の基地局において、前記設定部は、さらに、前記ユーザ装置が前記第１タイプの通信能力をサポートすることを確認する前に、或いは前記第１タイプの通信能力に応じて前記ユーザ装置と前記基地局の間のＨＡＲＱモードを設定する前に、第２タイプの通信能力に応じて前記ユーザ装置と前記基地局の間のＨＡＲＱモードを設定するように構成される。【００２６】
本開示のもう１つの実施例によれば、第１タイプの通信能力をサポートするユーザ装置に用いられる通信方法を提供し、当該方法は、ランダムアクセスチャネル（ＲＡＣＨ）リソースを前記第１タイプの通信能力に対応する第１のリソースグループと第２タイプの通信能力に対応する第２のリソースグループに分けることを指示する前記ＲＡＣＨリソースのグループ化情報を含むシステム情報を基地局から受信する工程と、前記第１タイプの通信能力に対応する前記第１のリソースグループを使用して前記基地局にＲＡＣＨプリアンブルを送信する工程と、前記第１タイプの通信能力に応じて、前記ユーザ装置と前記基地局の間のハイブリッドオートリピート要求（ＨＡＲＱ）モードを設定する工程と、を備える。【００２７】
当該実施例の方法において、前記ＨＡＲＱモードは、下りデータへのＨＡＲＱプロセス番号の設定及び下りデータに対してＨＡＲＱ確認を行う時のフィードバック方式を含み、前記第１のリソースグループは、前記第１タイプの通信能力に対応する第１の周波数リソース、第１の時間リソース、及び第１のプリアンブルグループの中の少なくとも一つを含み、前記第２のリソースグループは、前記第２タイプの通信能力に対応する第２の周波数リソース、第２の時間リソース、及び第２のプリアンブルグループの中の少なくとも一つを含む。【００２８】
本開示のもう１つの実施例によれば、第１タイプの通信能力をサポートするユーザ装置を提供し、当該ユーザ装置は、ランダムアクセスチャネル（ＲＡＣＨ）リソースを前記第１タイプの通信能力に対応する第１のリソースグループと第２タイプの通信能力に対応する第２のリソースグループに分けることを指示する前記ＲＡＣＨリソースのグループ化情報を含むシステム情報を基地局から受信するように構成される受信部と、前記第１タイプの通信能力に対応する前記第１のリソースグループを使用して前記基地局にＲＡＣＨプリアンブルを送信するように構成される送信部と、前記第１タイプの通信能力に応じて、前記ユーザ装置と前記基地局の間のハイブリッドオートリピート要求（ＨＡＲＱ）モードを設定するように構成される処理部と、を具備する。【００２９】
当該実施例のユーザ装置において、前記ＨＡＲＱモードは、ＨＡＲＱバンドリング方式、下りデータへのＨＡＲＱプロセス番号の設定及び下りデータに対してＨＡＲＱ確認を行う時のフィードバック方式を含み、前記第１のリソースグループは、前記第１タイプの通信能力に対応する第１の周波数リソース、第１の時間リソース、及び第１のプリアンブルグループの中の少なくとも一つを含み、前記第２のリソースグループは、前記第２タイプの通信能力に対応する第２の周波数リソース、第２の時間リソース、及び第２のプリアンブルグループの中の少なくとも一つを含む。【００３０】
本開示のもう１つの実施例によれば、第１タイプの通信能力をサポートするユーザ装置に用いられる通信方法を提供し、当該方法は、前記ユーザ装置の通信能力情報を含むメッセージを基地局に送信する工程と、前記第１タイプの通信能力に応じて前記ユーザ装置と前記基地局の間のハイブリッドオートリピート要求（ＨＡＲＱ）モードを設定する工程と、を備える。【００３１】
本実施例に係る方法は、前記基地局から前記メッセージに対する確認を受信する工程と、前記メッセージに対する確認が受信される前に、第２タイプの通信能力に応じて前記ユーザ装置と前記基地局の間のＨＡＲＱモードを設定する工程、をさらに備える。【００３２】
本開示のもう１つの実施例によれば、第１タイプの通信能力をサポートするユーザ装置を提供し、当該ユーザ装置は、前記ユーザ装置の通信能力情報を含むメッセージを基地局に送信するように構成される送信部と、前記第１タイプの通信能力に応じて前記ユーザ装置と前記基地局の間のハイブリッドオートリピート要求（ＨＡＲＱ）モードを設定する処理部と、を具備する。【００３３】
当該実施例に係るユーザ装置は、前記基地局から前記メッセージに対する確認を受信するように構成される受信部、をさらに具備し、前記処理部は、前記メッセージに対する確認が前記受信部により受信される前に、第２タイプの通信能力に応じて前記ユーザ装置と前記基地局の間のＨＡＲＱモードを設定するるように構成される。
【図面の簡単な説明】
【００３４】
図面を参照しながら本開示の実施例についてさらに詳細に説明することで、本開示の上述した内容並びにその他の目的、特徴及び長所はより明らかになる。図面は本開示の実施例をさらに理解するために提供され、明細書を構成する一部として見なされ、本開示の実施例とともに本開示を解釈するために用いられるが、本開示を限定するものではない。図面において、同じ参照符号は一般的には同じ構成要素又はステップを示す。【００３５】
【図１】本開示の実施例を適用可能なモノのインターネット通信システムを示す概略図である。
【図２】本開示の実施例に係る異なる通信能力をサポートするユーザ装置と接続される基地局におけるＨＡＲＱモードを設定する方法を示すフローチャートである。
【図３】本開示の実施例に係る異なる通信能力をサポートするユーザ装置と接続される基地局を示すブロック図である。
【図４Ａ−４Ｂ】図４Ａ及び図４Ｂは、本開示の実施例に係る第１タイプの通信能力をサポートするユーザ装置の通信方法を示すフローチャートである。
【図５】本開示の実施例に係る第１タイプの通信能力をサポートするユーザ装置を示すブロック図である。
【図６】基地局とユーザ装置の間のインタラクションによってユーザ装置と基地局の間のＨＡＲＱモードを設定する第１の例示的なプロセス図である。
【図７】基地局とユーザ装置の間のインタラクションによってユーザ装置と基地局の間のＨＡＲＱモードを設定する第２の例示的なプロセス図である。
【図８】基地局、ユーザ装置及びモビリティ管理エンティティの間のインタラクションによってユーザ装置と基地局の間のＨＡＲＱモードを設定する第３の例示的なプロセス図である。
【発明を実施するための形態】
【００３６】
本開示の目的、技術案及び利点をより明らかにするために、以下に図面を参照しながら本開示の例示的実施例を詳細に説明する。当然ながら、記述される実施例は本開示の一部の実施例に過ぎず、本開示の全ての実施例ではなく、本開示はここで記述される例示的実施例に限定されるものではないことを理解されるべきである。本開示に記載の本開示の実施例に基づいて、当業者が創造的な労力を要さずに想到しうる他の実施例は、いずれも本開示の保護範囲内に含まれる。
【００３７】
図１は、本開示の実施例を適用可能なモノのインターネットシステムを示す概略図である。図１に示すように、当該モノのインターネットシステムは制御メッセージ及びデータを交換することで、通信を行う基地局１０とユーザ装置２０ａ〜２０ｃを含む。例示的な説明として、図１中のユーザ装置２０ａは第１タイプの通信能力をサポートし、ユーザ装置２０ｂは第２タイプの通信能力をサポートし、ユーザ装置２０ｃは第１タイプの通信能力及び第２タイプの通信能力を同時にサポートする。当然ながら、該モノのインターネットシステムは他のタイプの通信能力をサポートする他のユーザ装置をさらに含んでもよく、本開示はこれについて限定しない。注意すべきことは、ここ及び以下の文面で用いられる「第１」、「第２」及び「第３」などの用語はそれぞれの対象を識別するための目的に過ぎず、各対象の間の順序或いは優先順位を説明するためのものではない。
【００３８】
本開示の実施例において、異なる技術規格に対し、第１タイプの通信能力とは第１の技術規格に従って通信を行うことができる能力を指し、第２タイプの通信能力とは第２の技術規格に従って通信を行うことができる能力を指す。同一の技術規格の異なるバージョンに対し、第１タイプの通信能力とは当該技術規格の第１のバージョン（例えば、新バージョン）に従って通信を行うことができる能力を指し、第２タイプの通信能力とは当該技術規格の第２のバージョン（例えば、旧バージョン）に従って通信を行うことができる能力を指す。
【００３９】
例えば、本開示の実施例において、第１タイプの通信能力はＬＴＥ  Ｒｅｌｅａｓｅ  １４規格に従って通信を行うことができる能力であり、第２タイプの通信能力はＬＴＥのＲｅｌｅａｓｅ  １３規格に従って通信を行うことができる能力である。ＬＴＥ規格のこの２つのバージョンはサポートしているＨＡＲＱモード（例えば下りデータへのＨＡＲＱプロセス番号の設定及び下りデータに対してＨＡＲＱ確認を行う時のフィードバック方式である）に違いがある。例えば、ＬＴＥ  Ｒｅｌｅａｓｅ  １３規格においては、多くとも８つのＨＡＲＱプロセスを設定し、なお基地局の下りデータに対するユーザ装置からのフィードバックと当該下りデータとは一対一の対応となり、すなわち各下りデータに対しそれぞれＨＡＲＱフィードバック情報を基地局に送信し、上記フィードバック情報は、例えばデータの受信に成功したという肯定応答（ＡＣＫ）又はデータを受信していないという否定応答（ＮＡＣＫ）である。ＬＴＥ  Ｒｅｌｅａｓｅ  １４規格においては、８つを超えたＨＡＲＱプロセスを設定することが可能であり、なお基地局の下りデータに対したユーザ装置からのフィードバックは該下りデータと一対多の方式によって行うことができ、すなわち、ＨＡＲＱのバンドリングを行い、具体的には、複数の下りデータへのフィードバック情報をまとめてバンドリングして基地局に送信する。例えば複数の下りデータへのフィードバック情報を論理的に足し、足した結果をフィードバック情報として基地局に送信し、このような場合には、ＨＡＲＱバンドリングウィンドウを設定することで、ＨＡＲＱバンドリングウィンドウ内で受信されたデータへのフィードバック情報をバンドリングし送信する。
【００４０】
ユーザ装置と基地局が通信を行う際に、基地局は適切なＨＡＲＱモードを設定するために、当該ユーザ装置の通信能力を確定する必要があり、具体的には、基地局は当該ユーザ装置が第１タイプの通信能力をサポートするかを確定する必要がある。当該ユーザ装置が第１タイプの通信能力をサポートする場合、基地局は第１タイプの通信能力に応じて当該ユーザ装置と基地局の間のＨＡＲＱモードを設定する。当該ユーザ装置が第２タイプの通信能力のみをサポートする場合、基地局は第２タイプの通信能力に応じて当該ユーザ装置と基地局の間のＨＡＲＱモードを設定する。
【００４１】
以下、図面を参照しながら本開示の実施例に係る基地局におけるＨＡＲＱモードを設定する方法、第１タイプの通信能力をサポートするユーザ装置に用いられる通信方法、並びに対応する基地局及びユーザ装置について説明する。
【００４２】
まず、図２を参照しながら本開示の実施例に係る基地局におけるＨＡＲＱモードを設定するための方法２００について説明する。ステップＳ２０１において、ユーザ装置の通信能力情報を取得する。ステップＳ２０３において、ユーザ装置の通信能力情報に応じて、ユーザ装置が第１タイプの通信能力をサポートするかを確定する。ステップＳ２０５において、ユーザ装置が第１タイプの通信能力をサポートする場合、第１タイプの通信能力に応じてユーザ装置と基地局の間のＨＡＲＱモードを設定する。
【００４３】
以下、様々な実施の形態と結合しながら方法２００について詳細に説明する。
【００４４】
第１の実施の形態において、ユーザ装置の通信能力情報を取得するためのステップＳ２０１を実行する前に、前方法２００は、システム情報を報知する工程をさらに備え、システム情報はランダムアクセスチャネル（ＲＡＣＨ）リソースのグループ化情報を含む。ＲＡＣＨリソースのグループ化情報は、ランダムアクセスチャネル（ＲＡＣＨ）リソースを第１タイプの通信能力に対応する第１のリソースグループと第２タイプの通信能力に対応する第２のリソースグループに分けることを指示する。例えば、第１のリソースグループは、第１タイプの通信能力に対応する第１の周波数リソース、第１の時間リソース及び第１のプリアンブルグループの中の少なくとも１つを含み、第２のリソースグループは、第２タイプの通信能力に対応する第２の周波数リソース、第２の時間リソース、及び第２のプリアンブルグループの中の少なくとも１つを含む。
【００４５】
ユーザ装置側において、ユーザ装置はシステム情報を受信すると、ＲＡＣＨリソースのグループ化情報に応じて基地局にＲＡＣＨプリアンブルを送信する。例えば、ユーザ装置が第１タイプの通信能力をサポートする場合、ユーザ装置は第１の周波数リソース又は第１の時間リソースを用いて基地局にＲＡＣＨプリアンブルを送信しても良く、或いは、ユーザ装置は第１のプリアンブルグループから１つを選択しＲＡＣＨプリアンブルとして基地局に送信しても良い。ユーザ装置が第２タイプの通信能力をサポートする場合、ユーザ装置は第２の周波数リソースを用いるか或いは第２の時間リソース内で基地局にＲＡＣＨプリアンブルを送信しても良く、或いは、ユーザ装置は第２のプリアンブルグループから１つのＲＡＣＨプリアンブルを選択し基地局に送信しても良い。
【００４６】
次いで、基地局はユーザ装置からＲＡＣＨプリアンブルを受信すると、ステップＳ２０１において、ユーザ装置の通信能力情報としてＲＡＣＨプリアンブルに用いられるリソースに関連する情報を取得する。例えば、ＲＡＣＨプリアンブルに用いられる周波数リソースまたは時間リソースを確定することでユーザ装置の通信能力情報を取得する。また例えば、ＲＡＣＨプリアンブルが第１のプリアンブルグループ又は第２のプリアンブルグループに属することを確定することでユーザ装置の通信能力情報を取得する。このような場合、ユーザ装置の通信能力情報は確定されたＲＡＣＨプリアンブルが第１のプリアンブルグループ又は第２のプリアンブルに属することに関する情報である。
【００４７】
次いでステップＳ２０３において、ユーザ装置から受信されたＲＡＣＨプリアンブルに用いられるリソースが第１のリソースグループに属することを確定する。ユーザ装置から受信されたＲＡＣＨプリアンブルに用いられるリソースが第１のリソースグループに属する場合、ユーザ装置は第１タイプの通信能力をサポートすることを確定する。ユーザ装置から受信されたＲＡＣＨプリアンブルに用いられるリソースが第２のリソースグループに属する場合、ユーザ装置は第２タイプの通信能力をサポートすることを確定する。例えば、受信されたＲＡＣＨプリアンブルに用いられる周波数リソースが第１の周波数リソースであり、或いは受信されたＲＡＣＨプリアンブルに用いられる時間リソースが第１の時間リソースであり、或いは受信されたＲＡＣＨプリアンブルが第１のプリアンブルグループに属する場合、ユーザ装置は第１タイプの通信能力をサポートすることを確定する。受信されたＲＡＣＨプリアンブルに用いられる周波数が第２の周波数リソースであり、或いは受信されたＲＡＣＨプリアンブルに用いられる時間リソースが第２の時間リソースであり、或いは受信されたＲＡＣＨプリアンブルが第２のプリアンブルグループに属する場合、ユーザ装置は第２タイプの通信能力をサポートすることを確定する。
【００４８】
ステップＳ２０５において、ユーザ装置が第１タイプの通信能力をサポートする場合、第１タイプの通信能力に応じてユーザ装置と基地局の間のＨＡＲＱモードを設定する。一方、ユーザ装置が第１タイプの通信能力をサポートしない場合、第２タイプの通信能力に応じてユーザ装置と基地局の間のＨＡＲＱモードを設定する。上述したように、ＨＡＲＱモードは下りデータへのＨＡＲＱプロセス番号の設定方式及び下りデータに対してＨＡＲＱ確認を行う時のフィードバック方式を含んでもよい。
【００４９】
下りデータに対してＨＡＲＱ確認を行う時のフィードバック方式を設定する例として、ユーザ装置が第２タイプの通信能力をサポートする場合、そのフィードバック方式を、各下りデータに対しそれぞれＨＡＲＱフィードバック情報を基地局に送信するように設定する。ユーザ装置が第１タイプの通信能力をサポートする場合には、複数の下りデータへのフィードバック情報をまとめてバンドリングし基地局に送信してもよい。
【００５０】
なお、ＨＡＲＱプロセス番号を設定する設定方式の例として、ユーザ装置が第２タイプの通信能力をサポートする場合、下り制御情報（ＤＣＩ：ｄｏｗｎｌｉｎｋ  ｃｏｎｔｒｏｌ  ｉｎｆｏｒｍａｔｉｏｎ）において３ビット（ｂｉｔｓ）のデータでユーザ装置と基地局の間のＨＡＲＱのプロセス数（プロセス数は２３＝８である）を表示することで、ＨＡＲＱプロセス番号を０と７の間にする。ユーザ装置が第１タイプの通信能力をサポートする場合、下り制御情報において４ビットでユーザ装置と基地局の間のＨＡＲＱのプロセス数（プロセス数は２４＝１６である）表示することで、ＨＡＲＱプロセス番号を０と１５の間にする。
【００５１】
当然ながら、ユーザ装置と前基地局の間のＨＡＲＱモードはＨＡＲＱに関連する他の性質又はモードをさらに含んでもよい。
【００５２】
上記第１の実施の形態に係る１つの具体的な例について、以下の図６に関する記述において詳細に説明する。
【００５３】
第２の実施例形態において、ステップＳ２０１は、ユーザ装置から通信能力情報を含むメッセージを受信することで、ユーザ装置の通信能力情報を取得する工程、を備える。例えば、ユーザ装置は第１タイプの通信能力又は第２タイプの通信能力をサポートすることを示す情報を基地局に送信するメッセージの中に含ませ、基地局は当該メッセージを受信することで通信能力情報を取得することができる。メッセージは必要に応じて柔軟に選択し、例えば無線リソース制御（ＲＲＣ：Ｒａｄｉｏ  Ｒｅｓｏｕｒｃｅ  Ｃｏｎｔｒｏｌ）接続完了メッセージであってもよい。
【００５４】
ステップＳ２０３において、ユーザ装置の通信能力情報に応じて、ユーザ装置が第１タイプの通信能力をサポートするかを確定する。具体的には、ステップＳ２０１において取得された通信能力情報が、ユーザ装置が第１タイプの通信能力をサポートすることを示す情報である場合、ユーザ装置が第１タイプの通信能力をサポートすると確定する。ステップＳ２０１において取得された通信能力情報が、ユーザ装置が第２タイプの通信能力をサポートすることを示す情報である場合、ユーザ装置が第２タイプの通信能力をサポートすると確定する。
【００５５】
ステップＳ２０５においては、ユーザ装置と基地局の間のＨＡＲＱモードを設定する。ここで、上記第１の実施の形態と類似の形態によりユーザ装置と基地局の間のＨＡＲＱモードを設定してもよく、ここでは説明を省略する。
【００５６】
また、当該第２の実施の形態において、ユーザ装置が第１タイプの通信能力をサポートすることを確認する前に、第２タイプの通信能力に応じてユーザ装置と基地局の間のＨＡＲＱモードを設定してもよい。或いは、第１タイプの通信能力に応じてユーザ装置と基地局の間のＨＡＲＱモードを設定する前に、第２タイプの通信能力に応じてユーザ装置と基地局の間のＨＡＲＱモードを設定してもよい。例えば、ステップＳ２０３においてユーザ装置が第１タイプの通信能力をサポートすると確定した後に、基地局はユーザ装置に確認メッセージを送信する。確認メッセージを送信する前に、第２タイプの通信能力に応じてユーザ装置と基地局の間のＨＡＲＱモードを設定し、確認情報を送信した後には、第１タイプの通信能力に応じてユーザ装置と基地局の間のＨＡＲＱモードを設定する。
【００５７】
上記第２の実施の形態に係る１つの具体的な例について、以下の図７に関する記述において詳細に説明する。
【００５８】
第３の実施の形態において、ステップＳ２０１は、モビリティ管理エンティティ（ＭＭＥ：ｍｏｂｉｌｉｔｙ  ｍａｎａｇｅｍｅｎｔ  ｅｎｔｉｔｙ）から通信能力情報を含むメッセージを受信することで、ユーザ装置の通信能力情報を取得する工程を備える。例えば、モビリティ管理エンティティはユーザ装置が第１タイプの通信能力又は第２タイプの通信能力をサポートすることを示す情報を基地局に送信するメッセージの中に含ませ、基地局は該メッセージを受信することで通信能力情報を取得することができる。上記メッセージは必要に応じて柔軟に選択し、例えば、初期コンテキスト設定要求（ｉｎｉｔｉａｌ  ｃｏｎｔｅｘｔ  ｓｅｔｕｐ  ｒｅｑｕｅｓｔ）であっても良い。
【００５９】
ステップＳ２０３において、ユーザ装置の通信能力情報に応じて、ユーザ装置が第１タイプの通信能力をサポートするかを確定する。ここで、上記第２の実施の形態と類似の形態によりユーザ装置が第１タイプの通信能力をサポートするかを確定してもよく、ここでは説明を省略する。
【００６０】
ステップＳ２０５においては、ユーザ装置と基地局の間のＨＡＲＱモードを設定する。ここで、上記第１の実施の形態又は第２の実施の形態と類似の形態によりユーザ装置と基地局の間のＨＡＲＱモードを設定してもよく、ここでは説明を省略する。
【００６１】
また、第３の実施の形態において、ユーザ装置が第１タイプの通信能力をサポートすることを確認する前に、或いは第１タイプの通信能力に応じてユーザ装置と基地局の間のＨＡＲＱモードを設定する前に、第２タイプの通信能力に応じてユーザ装置と基地局の間のＨＡＲＱモードを設定してもよい。例えば、ステップＳ２０５を実行しユーザ装置と基地局の間のＨＡＲＱモードを設定した後に、ユーザ装置にＲＲＣ接続リセットメッセージを送信し、基地局がユーザ装置からのＲＲＣ接続リセットメッセージへの確認を受信する前には、第２タイプの通信能力に応じてユーザ装置と基地局の間のＨＡＲＱモードを設定する。
【００６２】
上記第３の実施の形態に係る１つの具体的な例について、以下の図８に関する記述において詳細に説明する。
【００６３】
以下、図３を参照しながら本開示の実施例に係る基地局について説明し、子の基地局は図２を参照しながら記述された上記ＨＡＲＱモードを設定する方法２００を実行する。
【００６４】
図３に示すように、基地局１０は取得部１１、確定部１２及び設定部１３を具備する。ある例示においては、基地局１０は図３に破線で示された報知部１５をさらに具備してもよい。注意すべきことは、図３は基地局１０において本開示の実施例と密接に関連する構成要素のみを示しており、これは説明的なものに過ぎず、必要に応じて、基地局１０は他の構成要素を具備してもよい。
【００６５】
例えば、取得部１１はユーザ装置の通信能力情報を取得するように構成される。確定部１２はユーザ装置の通信能力情報に応じて、ユーザ装置が第１タイプの通信能力をサポートするかを確定するように構成される。設定部１３はユーザ装置が第１タイプの通信能力をサポートする場合、第１タイプの通信能力に応じてユーザ装置と基地局の間のＨＡＲＱモードを設定するように構成される。
【００６６】
図２を説明する際に提供された上記第１の実施の形態に結合すれば、報知部１５は、取得部１１がユーザ装置の通信能力情報を取得する前に、システム情報を報知するように構成され、システム情報はＲＡＣＨリソースのグループ化情報を含む。ＲＡＣＨリソースのグループ化情報は、ＲＡＣＨリソースを第１タイプの通信能力に対応する第１のリソースグループと第２タイプの通信能力に対応する第２のリソースグループに分けることを指示する。例えば、第１のリソースグループは、第１タイプの通信能力に対応する第１の周波数リソース、第１の時間リソース、及び第１のプリアンブルグループの中の少なくとも１つを含み、第２のリソースグループは、第２タイプの通信能力に対応する第２の周波数リソース、第２の時間リソース、及び第２のプリアンブルグループの中の少なくとも１つを含む。
【００６７】
ユーザ装置はシステム情報を受信した後に、ＲＡＣＨリソースのグループ化情報に応じて基地局へＲＡＣＨプリアンブルを送信する。
【００６８】
取得部１１はユーザ装置からＲＡＣＨプリアンブルを受信した後に、ＲＡＣＨプリアンブルに用いられるリソースを確定することで、ユーザ装置の通信能力情報を取得する。例えば、取得部１１はＲＡＣＨプリアンブルに用いられる周波数リソース又は時間リソースを確定することで、ユーザ装置の通信能力情報を取得する。また例えば、取得部１１はＲＡＣＨプリアンブルが第１のプリアンブルグループ又は第２のプリアンブルグループに属することを確定することで、ユーザ装置の通信能力情報を取得する。
【００６９】
次いで、確定部１２はユーザ装置から受信されたＲＡＣＨプリアンブルに用いられるリソースが第１のリソースグループに属するかを確定するように構成される。ユーザ装置から受信されたＲＡＣＨプリアンブルに用いられるリソースが第１のリソースグループに属する場合、確定部１２は前ユーザ装置が第１タイプの通信能力をサポートすると確定する。ユーザ装置から受信されたＲＡＣＨプリアンブルに用いられるリソースが第２のリソースグループに属する場合、確定部１２はユーザ装置が第２タイプの通信能力をサポートすると確定する。例えば、受信されたＲＡＣＨプリアンブルに用いられる周波数が第１の周波数リソース、又は受信されたＲＡＣＨプリアンブルに用いられる時間リソースが第１の時間リソース、又は受信されたＲＡＣＨプリアンブルが第１のプリアンブルグループに属する場合、確定部１２はユーザ装置が第１タイプの通信能力をサポートすると確定する。受信されたＲＡＣＨプリアンブルに用いられる周波数が第２の周波数リソース、又は受信されたＲＡＣＨプリアンブルに用いられる時間リソースが第２の時間リソース、又は受信されたＲＡＣＨプリアンブルが第２のプリアンブルグループに属する場合、確定部１２はユーザ装置が第２タイプの通信能力をサポートすると確定する。
【００７０】
ユーザ装置が第１タイプの通信能力をサポートすると確定部１２により確定した場合、設定部１３は第１タイプの通信能力に応じてユーザ装置と基地局の間のＨＡＲＱモードを設定する。一方、ユーザ装置が第１タイプの通信能力をサポートしない場合、設定部１３は第２タイプの通信能力に応じてユーザ装置と基地局の間のＨＡＲＱモードを設定する。
【００７１】
ＨＡＲＱモードは、下りデータへのＨＡＲＱプロセス番号の設定方式及び下りデータに対してＨＡＲＱ確認を行う時のフィードバック方式を含んでもよい。
【００７２】
下りデータに対してＨＡＲＱ確認を行う時のフィードバック方式を設定する例として、ユーザ装置が第２タイプの通信能力をサポートする場合、設定部１３はそのフィードバック方式を、各下りデータに対しそれぞれＨＡＲＱフィードバック情報を基地局に送信するように設定する。ユーザ装置が第１タイプの通信能力をサポートする場合、設定部１３は複数の下りデータへのフィードバック情報をまとめてバンドリングし基地局に送信する。
【００７３】
なお、ＨＡＲＱプロセス番号を設定する設定方式の例として、ユーザ装置が第２タイプの通信能力をサポートする場合、設定部１３は下り制御情報（ＤＣＩ：ｄｏｗｎｌｉｎｋ  ｃｏｎｔｒｏｌ  ｉｎｆｏｒｍａｔｉｏｎ）において３ビット（ｂｉｔｓ）のデータでユーザ装置と基地局の間のＨＡＲＱのプロセス数（プロセス数は２３＝８である）を表示することで、ＨＡＲＱプロセス番号を０と７の間にする。ユーザ装置が第１タイプの通信能力をサポートする場合、設定部１３は下り制御情報において４ビットでユーザ装置と基地局の間のＨＡＲＱプロセス数（プロセス数は２４＝１６である）表示することで、ＨＡＲＱプロセス番号を０と１５の間にする。
【００７４】
図２を説明する際に提供された上記第２の実施の形態に結合すれば、取得部１１はさらに、ユーザ装置から通信能力情報を含むメッセージを受信することで、ユーザ装置の通信能力情報を取得するように構成されてもよい。例えば、ユーザ装置は第１タイプの通信能力又は第２タイプの通信能力をサポートすることを示す情報を基地局に送信するメッセージに含ませ、基地局は当該メッセージを受信することで上記通信能力情報を取得することができる。当該メッセージは必要に応じて柔軟に選択し、例えば、無線リソース制御（Ｒａｄｉｏ  Ｒｅｓｏｕｒｃｅ  Ｃｏｎｔｒｏｌ，ＲＲＣ）の接続完了メッセージであってもよい。
【００７５】
確定部１２はさらに、取得部１１から取得された通信能力情報が、ユーザ装置が第１タイプの通信能力をサポートすることを示す場合、確定部１２はユーザ装置が第１タイプの通信能力をサポートすると確定するように構成されてもよく、取得部１１から取得された通信能力情報が、ユーザ装置が第２タイプの通信能力をサポートすることを示す場合、確定部１２はユーザ装置が第２タイプの通信能力をサポートすると確定する。
【００７６】
また、設定部１３はさらに、ユーザ装置が第１タイプの通信能力をサポートすることを確定部１２により確認する前に、或いは第１タイプの通信能力に応じてユーザ装置と基地局の間のＨＡＲＱモードを設定する前に、第２タイプの通信能力に応じてユーザ装置と基地局の間のＨＡＲＱモードを設定するように構成されてもよい。例えば、ユーザ装置が第１タイプの通信能力をサポートすると確定部１２により確定した後に、確定部１２はユーザ装置に確認メッセージを送信する。確定部１２により確認メッセージをユーザ装置に送信する前に、設定部１３は第２タイプの通信能力に応じてユーザ装置と基地局の間のＨＡＲＱモードを設定する。
【００７７】
図２を説明する際に提供された上記第３の実施例に結合すれば、取得部１１はさらに、モビリティ管理エンティティ（ＭＭＥ：ｍｏｂｉｌｉｔｙ  ｍａｎａｇｅｍｅｎｔ  ｅｎｔｉｔｙ）から通信能力情報を含むメッセージを受信することで、ユーザ装置の通信能力情報を取得するように構成されてもよい。例えば、モビリティ管理エンティティはユーザ装置が第１タイプの通信能力又は第２タイプの通信能力をサポートすることを示す情報を基地局に送信するメッセージに含ませ、基地局は当該メッセージを受信することで通信能力情報を取得することができる。当該メッセージは必要に応じて柔軟に選択し、例えば、初期コンテキスト設定要求（ｉｎｉｔｉａｌ  ｃｏｎｔｅｘｔ  ｓｅｔｕｐ  ｒｅｑｕｅｓｔ）であっても良い。
【００７８】
また、設定部１３はさらに、ユーザ装置が第１タイプの通信能力をサポートすることを確認する前に、或いは第１タイプの通信能力に応じてユーザ装置と基地局の間のＨＡＲＱモードを設定する前に、第２タイプの通信能力に応じてユーザ装置と基地局の間のＨＡＲＱモードを設定するように構成されてもよい。例えば、設定部１３はユーザ装置と基地局の間のＨＡＲＱモードを設定した後に、ユーザ装置にＲＲＣ接続リセットメッセージをさらに送信する。設定部１３はユーザ装置からのＲＲＣ接続リセットメッセージへの確認を受信する前に、第２タイプの通信能力に応じてユーザ装置と基地局の間のＨＡＲＱモードを設定してもよい。
【００７９】
以下、図４Ａ及び４Ｂを参照しながら本開示の実施例に係る第１タイプの通信能力をサポートするユーザ装置の通信方法についてそれぞれ説明する。図４Ａに示す方法４００は図２を参照して記述されたＨＡＲＱモードを設定する方法の中の第１の実施の形態に対応する。
【００８０】
図４Ａに示すように、ステップＳ４０４において、基地局からのシステム情報を受信し、当該システム情報はＲＡＣＨリソースのグループ化情報を含み、ＲＡＣＨリソースのグループ化情報は、ランダムアクセスチャネル（ＲＡＣＨ）リソースを第１タイプの通信能力に対応する第１のリソースグループと第２タイプの通信能力に対応する第２のリソースグループに分けることを指示する。第１のリソースグループは、第１タイプの通信能力に対応する第１の周波数リソース、第１の時間リソース及び第１のプリアンブルグループの中の少なくとも１つを含み、第２のリソースグループは、第２タイプの通信能力に対応する第２の周波数リソース、第２の時間リソース、及び第２のプリアンブルグループの中の少なくとも1つを含む。
【００８１】
ステップＳ４０６において、第１タイプの通信能力に対応する第１のリソースグループを使用して基地局にＲＡＣＨプリアンブルを送信する。
【００８２】
例えば、ユーザ装置が第１タイプの通信能力をサポートする場合、ステップＳ４０６においては第１の周波数リソース又は第１の時間リソースを使用して基地局にＲＡＣＨプリアンブルを送信してもよく、或いは、第１のプリアンブルグループの中から１つのＲＡＣＨプリアンブルを選択し基地局に送信してもよい。ユーザ装置が第２タイプの通信能力をサポートする場合、ステップＳ４０６においては第２の周波数リソース又は第２の時間リソースを使用して基地局にＲＡＣＨプリアンブルを送信してもよく、或いは、第２のプリアンブルグループの中から１つのＲＡＣＨプリアンブルを選択し基地局に送信してもよい。
【００８３】
ステップＳ４０８において、第１タイプの通信能力に応じて、ユーザ装置と基地局の間のＨＡＲＱモードを設定する。
【００８４】
例えば、下りデータに対してＨＡＲＱ確認を行う時のフィードバック方式を設定する例として、ユーザ装置が第２タイプの通信能力をサポートする場合、そのフィードバック方式を、各下りデータに対しそれぞれＨＡＲＱフィードバック情報を基地局に送信するように設定する。ユーザ装置が第１タイプの通信能力をサポートする場合には、複数の下りデータへのフィードバック情報をまとめてバンドリングし基地局に送信してもよい。
【００８５】
なお、ＨＡＲＱプロセス番号を設定する設定方式の例として、ユーザ装置が第１タイプの通信能力をサポートする場合、下り制御情報（ＤＣＩ）の中から４ビットのデータを取得することでＨＡＲＱのプロセス番号を確定してもよい。
【００８６】
上記方法４００に係るる１つの具体的な例について、以下の図６に関する記述において詳細に説明する。
【００８７】
図４Ｂに示す方法４５０は図２を参照して記述されたＨＡＲＱモードを設定する方法の中の第２の実施の形態に対応する。
【００８８】
図４Ｂに示すように、ステップＳ４５２において、基地局にユーザ装置の通信能力情報を含むメッセージを送信する。例えば、ユーザ装置の通信能力情報を含むＲＲＣ接続完了メッセージを基地局に送信する。
【００８９】
ステップＳ４５４において、第１タイプの通信能力に応じて、ユーザ装置と基地局の間のＨＡＲＱモードを設定する。例えば、上記ステップＳ４０８と類似の方式によりユーザ装置と基地局の間のＨＡＲＱモードを設定してもよく、ここでは説明を省略する。
【００９０】
方法４５０は、基地局から上記メッセージ（例えば、ＲＲＣ接続完了メッセージ）に対する確認を受信する工程と、当該メッセージに対応する確認が受信される前に、第２タイプの通信能力に応じてユーザ装置と基地局の間のＨＡＲＱモードを設定する工程と、をさらに備えてもよい。例えば、下り制御情報（ＤＣＩ）の中から３ビット（ｂｉｔｓ）のデータを取得することでＨＡＲＱのプロセス番号を確定してもよい。また例えば、ユーザ装置が第２タイプの通信能力をサポートするため、基地局の下りデータに対し一対一のフィードバックを行い、すなわち各下りデータに対しそれぞれＨＡＲＱ確認メッセージ（ＨＡＲＱ−ＡＣＫ又はＨＡＲＱ−ＮＡＣＫ）を基地局に送信し確認を行っても良い。
【００９１】
上記方法４５０に係る１つ具体的な例について、以下の図７に関する記述において詳細に説明する。
【００９２】
以下、図５を参照しながら本開示の実施例に係る第１タイプの通信能力をサポートするユーザ装置について説明する。
【００９３】
図５に示すように、ユーザ装置２０は受信部２１、送信部２２及び処理部２３を具備する。注意すべきことは、図５はユーザ装置２０における本開示の実施例と密接に関連する構成要素のみを示しており、これは説明的なものに過ぎず、必要に応じて、ユーザ装置２０は他の構成要素を具備してもよい。
【００９４】
上記第１の実施の形態に結合すれば、受信部２１は基地局からのシステム情報を受信するように構成され、上記システム情報はＲＡＣＨリソースのグループ化情報を含み、ＲＡＣＨリソースのグループ化情報は、ＲＡＣＨリソースを第１タイプの通信能力に対応する第１のリソースグループと第２タイプの通信能力に対応する第２のリソースグループに分けることを指示する。
【００９５】
送信部２２は、第１タイプの通信能力に対応する第１のリソースグループを使用して基地局にＲＡＣＨプリアンブルを送信するように構成される。
【００９６】
例えば、ユーザ装置が第１タイプの通信能力をサポートする場合、送信部２２は第１の周波数リソース又は第１の時間リソースを使用して基地局にＲＡＣＨプリアンブルを送信してもよく、或いは、第１のプリアンブルグループから１つのＲＡＣＨプリアンブルを選択し基地局に送信してもよい。ユーザ装置が第２タイプの通信能力をサポートする場合、送信部２２は第２の周波数リソース又は第２の時間リソースを使用して基地局にＲＡＣＨプリアンブルを送信してもよく、或いは、第２のプリアンブルグループから１つのＲＡＣＨプリアンブルを選択し基地局に送信してもよい。
【００９７】
処理部２３は、第１タイプの通信能力に応じて、ユーザ装置と基地局の間のＨＡＲＱモードを設定するように構成される。
【００９８】
例えば、下りデータに対してＨＡＲＱ確認を行う時のフィードバック方式を設定する例として、ユーザ装置が第２タイプの通信能力をサポートとする場合、処理部２３はそのフィードバック方式を、各下りデータに対しそれぞれＨＡＲＱフィードバック情報を基地局に送信するように設定する。ユーザ装置が第１タイプの通信能力をサポートする場合、処理部２３は複数の下りデータへのフィードバック情報をまとめてバンドリングし基地局に送信してもよい。
【００９９】
なお、ＨＡＲＱプロセス番号を設定する設定方式の例として、ユーザ装置が第１タイプの通信能力をサポートする場合、処理部２３は下り制御情報の中から４ビットのデータを取得することでＨＡＲＱのプロセス番号を確定する。
【０１００】
上記第２の実施の形態に結合すれば、送信部２２はさらに、ユーザ装置の通信能力情報を含むメッセージを基地局に送信するように構成される。例えば、送信部２２はユーザ装置の通信能力情報を含むＲＲＣ接続完了メッセージを基地局に送信する。
【０１０１】
処理部２３は、第１タイプの通信能力に応じて、ユーザ装置と基地局の間のＨＡＲＱモードを設定するように構成される。
【０１０２】
受信部２１はさらに、基地局から上記メッセージ（例えば、ＲＲＣ接続完了メッセージ）に対する確認を受信するように構成される。上記メッセージに対する確認が受信部２１により受信される前に、処理部２３は第２タイプの通信能力に応じてユーザ装置と基地局の間のＨＡＲＱモードを設定する。例えば、処理部２３は下り制御情報（ＤＣＩ）から３ビット（ｂｉｔｓ）のデータを取得することでＨＡＲＱのプロセス番号を確定する。また例えば、ユーザ装置が第２タイプの通信能力をサポートするため、処理部２３は基地局の下りデータに対し一対一のフィードバックを行うことができ、すなわち各下りデータに対しそれぞれＨＡＲＱ確認メッセージ（ＨＡＲＱ−ＡＣＫ又はＨＡＲＱ−ＮＡＣＫ）を基地局に送信し確認を行う。
【０１０３】
図６は、基地局とユーザ装置の間のインタラクションによってユーザ装置と基地局の間のＨＡＲＱモードを設定する第１の例示的プロセスを示している。まず、基地局１０は全てのユーザ装置にＲＡＣＨリソースのグループ化情報を含んだシステム情報を報知する（ステップ６０２）。ユーザ装置２０はシステム情報の中から第１タイプの通信能力に対応する第１のリソースグループを確定（ステップ６０４）し、第１のリソースグループを使用して基地局にＲＡＣＨプリアンブルを送信する（ステップ６０８）。基地局１０はユーザ装置から受信されたＲＡＣＨプリアンブルに用いられるリソースを確定することでユーザ装置の通信能力情報を取得する（ステップ６０９）。基地局１０はユーザ装置の通信能力情報に応じて、ユーザ装置が第１タイプの通信能力をサポートすることを確定する（ステップ６１０）。
【０１０４】
基地局１０はユーザ装置２０にランダムアクセス応答（ＲＡＲ：ｒａｎｄｏｍ  ａｃｃｅｓｓ  ｒｅｓｐｎｓｅ）を送信する（ステップ６１２）。ユーザ装置２０は基地局１０に無線リソース制御（ＲＲＣ）接続要求を送信する（ステップ６１４）。基地局１０は第１タイプの通信能力に応じて、ＨＡＲＱフィードバック方式及び下り制御情報（ＤＣＩ）におけるＨＡＲＱプロセス番号など、基地局とユーザ装置の間のＨＡＲＱモードを設定する（ステップ６１６）。基地局１０はユーザ装置２０に競合解決メッセージ及びＲＲＣ接続確立メッセージを送信する（ステップ６１８）。
【０１０５】
ユーザ装置２０は第１タイプの通信能力に応じて、ユーザ装置と基地局の間のＨＡＲＱモードを設定し、例えば、下り制御情報（ＤＣＩ）を処理することでＨＡＲＱプロセス番号を確定し（ステップ６２０）、ＨＡＲＱフィードバックを設定する（ステップ６２２）。ユーザ装置２０は基地局１０に確認応答を送信する（ステップ６２４）。
【０１０６】
図７は、基地局とユーザ装置の間のインタラクションによってユーザ装置と基地局の間のＨＡＲＱモードを設定する第２の例示的プロセスを示している。
【０１０７】
まず、基地局１０は全てのユーザ装置にシステム情報を報知する（ステップ７０２）。ユーザ装置２０はＲＡＣＨリソースを使用して基地局１０にプリアンブルを送信する（ステップ７０４）。基地局１０はユーザ装置２０にランダムアクセス応答を送信する（ステップ７０６）。ユーザ装置２０は基地局１０に無線リソース制御（ＲＲＣ）接続要求を送信する（ステップ７０８）。基地局１０は第２タイプの通信能力に応じて、ＨＡＲＱフィードバック方式及び下り制御情報（ＤＣＩ）におけるＨＡＲＱプロセス番号など、基地局とユーザ装置の間のＨＡＲＱモードを設定する（ステップ７１０）。基地局１０はユーザ装置２０に競合解決メッセージ及びＲＲＣ接続確立メッセージを送信する（ステップ７１２）。
【０１０８】
ユーザ装置２０は第２タイプの通信能力に応じて、ユーザ装置と基地局の間のＨＡＲＱモードを設定し、例えば、下り制御情報（ＤＣＩ）を処理することでＨＡＲＱプロセス番号を確定し（ステップ７１４）、ＨＡＲＱフィードバックを設定する（ステップ７１６）。ユーザ装置２０は基地局１０に確認応答を送信する（ステップ７１８）。
【０１０９】
ユーザ装置２０は基地局１０にＲＲＣ接続完了メッセージを送信し、該ＲＲＣ接続完了メッセージはユーザ装置が第１タイプの通信能力をサポートするという情報を含む（ステップ７２０）。基地局１０はユーザ装置２０にＲＲＣ接続完了メッセージへの確認応答を送信する（ステップ７２２）。基地局１０は第１タイプの通信能力に応じて、ユーザ装置と基地局の間のＨＡＲＱモードを設定する（ステップ７２４）。
【０１１０】
次いで、ユーザ装置２０は第１タイプの通信能力に応じて、ユーザ装置と基地局の間のＨＡＲＱモードを設定し、例えば、下り制御情報（ＤＣＩ）を処理することでＨＡＲＱプロセス番号を確定し（ステップ７２６）、ＨＡＲＱフィードバックを設定する（ステップ７２８）。
【０１１１】
図８は、基地局、ユーザ装置及びモビリティ管理エンティティの間のインタラクションによってユーザ装置と基地局の間のＨＡＲＱモードを設定する第３の例示的プロセスを示している。
【０１１２】
まず、基地局１０は全てのユーザ装置にシステム情報を報知する（ステップ８０２）。ユーザ装置２０はＲＡＣＨリソースを使用して基地局にプリアンブルを送信する（ステップ８０４）。基地局１０はユーザ装置にランダムアクセス応答を送信する（ステップ８０６）。ユーザ装置２０は基地局１０に無線リソース制御（ＲＲＣ）接続要求を送信する（ステップ８０８）。基地局１０は第２タイプの通信能力に応じて、ＨＡＲＱフィードバック方式及び下り制御情報（ＤＣＩ）におけるＨＡＲＱプロセス番号など、基地局とユーザ装置の間のＨＡＲＱモードを設定する（ステップ８１０）。基地局１０はユーザ装置２０に競合解決メッセージ及びＲＲＣ接続確立メッセージを送信する（ステップ８１２）。
【０１１３】
ユーザ装置２０は第２タイプの通信能力に応じて、下り制御情報（ＤＣＩ）を処理することでＨＡＲＱプロセス番号を確定し（ステップ８１４）、ＨＡＲＱフィードバックを設定する（ステップ８１６）。ユーザ装置２０は基地局１０に確認応答を送信する（ステップ８１８）。ユーザ装置２０は基地局１０にＲＲＣ接続完了メッセージを送信する（ステップ８２０）。
【０１１４】
基地局１０はモビリティ管理エンティティ８０に初期ユーザ装置メッセージを送信する（ステップ８２２）。モビリティ管理エンティティ８０は初期コンテキスト設定要求を送信し、該要求はユーザ装置が第１タイプの通信能力をサポートするという情報を含む（ステップ８２４）。
【０１１５】
基地局１０はユーザ装置２０にＲＲＣ接続リセットメッセージを送信する（ステップ８２６）。ユーザ装置２０は基地局１０に該ＲＲＣ接続リセットメッセージへの確認応答を送信する（ステップ８２８）。基地局１０は第１タイプの通信能力に応じて、ユーザ装置と基地局の間のＨＡＲＱモードを設定する（ステップ８３０）。
【０１１６】
次いで、ユーザ装置２０は第１タイプの通信能力に応じて、下り制御情報（ＤＣＩ）を処理することでＨＡＲＱプロセス番号を確定し（ステップ８３１）、ＨＡＲＱフィードバックを設定する（ステップ８３２）。ユーザ装置１０は基地局１０にＲＲＣ接続リセット完了メッセージを送信する（ステップ８３４）。
【０１１７】
上述したように、本開示の実施例に係る基地局におけるＨＡＲＱモードを設定するための方法、第１タイプの通信能力をサポートするユーザ装置に用いられる通信方法、並びに基地局及びユーザ装置によって、基地局とユーザ装置の間の正確かつ効率的な通信を実現し、通信の総容量及びユーザ装置の無線データアクセス速度を向上させることができる。
【０１１８】
本明細書において、用語「含む」、「含まれる」又は他の変形は非排他的な「包含」をカバーすることを意図し、一連の要素を含むプロセス、方法、物品又は装置がそれらの要素を含むだけでなく、明確に示していない他の要素もさらに含み、或いはこれらのプロセス、方法、物品又は装置に備えた固有の要素をさらに含む。さらなる限定がされていない場合に、文句「１つの……を含む」により限定された要素は、上記要素を含むプロセス、方法、物品又は装置に他の同様な要素がさらに存在することを除外しない。
【０１１９】
最後に、説明すべきことは、上記一連の処理はここに記載された時間順序により実行され処理を含むだけでなく、時間順序ではなく並列又は別別に実行される処理も含む。
【０１２０】
上述した実施の形態によれば、当業者は本開示がソフトウェアに必要なハードウェアプラットフォームを加える形態によって実現されてもよく、当然ながら全てをハードウェアにて実現されてもよいことが分かる。このような理解の上、本開示の技術案が背景技術に貢献する全て又は一部はソフトウェア製品の形態によって具現されてもよく、該コンピュータソフトウェア製品は、１台のコンピュータ装置（パーソナルコンピュータ、サーバー、又はネットワーク装置など）で本開示の各実施例又は実施例の一部に記載された方法を実行するための複数のコマンドを含むＲＯＭ／ＲＡＭ、磁気ディスク、光ディスクなどのような記憶媒体に格納されてもよい。
【０１２１】
以上、本開示について詳細に説明したが、本明細書は具体的な例を適用して本開示の原理及び実施の形態について記述し、上記実施例について説明は本開示の方法及びその核心思想を理解するためのものに過ぎない。また、当業者であれば、本開示の思想に基づいて、具体的な実施の形態及び適用範囲について変更を行うこともでき、要するに、本明細書の内容は本開示を限定するものではないことを理解すべきである。
【図１】
2018030537.tif 000003
【図２】
2018030537.tif 000004
【図３】
2018030537.tif 000005
【図４Ａ】
2018030537.tif 000006
【図４Ｂ】
2018030537.tif 000007
【図５】
2018030537.tif 000008
【図６】
2018030537.tif 000009
【図７】
2018030537.tif 000010
【図８】
2018030537.tif 000011
【国際調査報告】
2018030537.tif 000012
2018030537.tif 000013
2018030537.tif 000014
2018030537.tif 000015
2018030537.tif 000016
2018030537.tif 000017
2018030537.tif 000018
2018030537.tif 000019